(57)【要約】  ガラス製造装置は、ガラス製造装置のガラスリボン移動方向に延在する第１のクランプ経路に沿って互いに間隔を置いて配置された第１列のジョークランプを含むガラスリボン把持装置を含む。ガラスリボン把持装置は、ガラス製造装置のガラスリボン移動方向に延在する第２のクランプ経路に沿って互いに間隔を置いて配置された第２列のジョークランプを含む。第１列のジョークランプおよび第２列のジョークランプは、ガラスリボン移動方向に対して垂直な横方向に離間させられている。さらに、ガラス製造装置を用いてガラスリボンを製造する方法が提供される。
2021534061.tif 000002
【特許請求の範囲】
【請求項１】
ガラス製造装置であって、
ガラスリボン把持装置であって、前記ガラス製造装置のガラスリボン移動方向に延在する第１のクランプ経路に沿って互いに間隔を置いて配置された第１列のジョークランプと、前記ガラス製造装置の前記ガラスリボン移動方向に延在する第２のクランプ経路に沿って互いに間隔を置いて配置された第２列のジョークランプとを含み、前記第１列のジョークランプおよび前記第２列のジョークランプは、前記ガラスリボン移動方向に対して垂直な横方向に離間させられている、ガラスリボン把持装置
を含む、ガラス製造装置。
【請求項２】
前記第１列のジョークランプおよび前記第２列のジョークランプのうちの少なくとも一方の下方に位置決めされ、ガラスリボンの移動経路を少なくとも部分的に横切って延在する支持面をさらに含む、請求項１記載のガラス製造装置。
【請求項３】
前記第１列のジョークランプの少なくとも１つのジョークランプは、前記第２列のジョークランプの少なくとも１つのジョークランプに対して横方向で、横方向に調整可能である、請求項１または２記載のガラス製造装置。
【請求項４】
前記第１列のジョークランプの少なくとも１つのジョークランプは、前記第２列のジョークランプの少なくとも１つのジョークランプに対して前記ガラスリボン移動方向で鉛直方向に調整可能である、請求項１から３までのいずれか１項記載のガラス製造装置。
【請求項５】
前記第２列のジョークランプの少なくとも１つのジョークランプは、前記第１列のジョークランプの少なくとも１つのジョークランプに対して前記ガラスリボン移動方向で鉛直方向に調整可能である、請求項１から４までのいずれか１項記載のガラス製造装置。
【請求項６】
前記第１列のジョークランプの第１のジョークランプおよび前記第２列のジョークランプの第１のジョークランプは、第１の高さに位置決めされた前記ジョークランプの第１の高さ対を形成しており、前記第１列のジョークランプの第２のジョークランプおよび前記第２列のジョークランプの第２のジョークランプは、第２の高さに位置決めされた前記ジョークランプの第２の高さ対を形成している、請求項１から５までのいずれか１項記載のガラス製造装置。
【請求項７】
前記ジョークランプの第１の高さ対の前記ジョークランプ同士の間の第１の横方向間隔は、横方向で調整可能である、請求項６記載のガラス製造装置。
【請求項８】
前記ジョークランプの第１の高さ対の前記ジョークランプ同士の間の前記第１の横方向間隔は、前記ジョークランプの第２の高さ対の前記ジョークランプ同士の間の第２の横方向間隔に依存せずに横方向で調整可能である、請求項７記載のガラス製造装置。
【請求項９】
請求項１記載のガラス製造装置を用いてガラスリボンを製造する方法であって、
第１の主面および第２の主面を含む前記ガラスリボンをガラスリボン移動方向に沿って移動させるステップと、
前記第１の主面および前記第２の主面を第１列のジョークランプの各ジョークランプに係合させることによって、前記第１列のジョークランプを用いて前記ガラスリボンの第１の側縁をクランプするステップと、
前記第１の主面および前記第２の主面を第２列のジョークランプの各ジョークランプに係合させることによって、前記第２列のジョークランプを用いて前記ガラスリボンの第２の側縁をクランプするステップと
を含む、方法。
【請求項１０】
前記ガラスリボンを前記ガラスリボンの別の部分から分離し、分離された前記ガラスリボンを、前記ガラスリボンの前記第１の側縁および前記第２の側縁をクランプすることによって捕捉するステップをさらに含む、請求項９記載の方法。
【請求項１１】
前記ガラスリボンの前記第１の側縁および前記第２の側縁をクランプする前に前記ガラスリボンの下縁を係合させるステップをさらに含む、請求項９または１０記載の方法。
【請求項１２】
第１の高さにおける前記ガラスリボンの第１の横方向張力を調整するために、前記第１列のジョークランプの第１のジョークランプと前記第２列のジョークランプの第１のジョークランプとの間の第１の横方向間隔を調整するステップをさらに含む、請求項９から１１までのいずれか１つ記載の方法。
【請求項１３】
前記第１の横方向間隔を調整するステップは、前記ガラスリボンの第２の高さにおける、前記第１列のジョークランプの第２のジョークランプと前記第２列のジョークランプの第２のジョークランプとの間の第２の横方向間隔に依存せずに行われる、請求項１２記載の方法。
【請求項１４】
前記第１の高さにおける前記ガラスリボンの調整された前記第１の横方向張力は、前記ガラスリボンの前記第２の高さにおける前記ガラスリボンの第２の横方向張力とは異なる、請求項１３記載の方法。
【請求項１５】
前記ガラスリボンの第２の高さにおける第２の横方向張力を調整するために、前記第１列のジョークランプの第２のジョークランプと前記第２列のジョークランプの第２のジョークランプとの間の第２の横方向間隔を調整するステップをさらに含む、請求項９から１４までのいずれか１つ記載の方法。
【発明の詳細な説明】
【関連出願】
【０００１】
この出願は、米国特許法第１１９条のもと、２０１８年８月１４日に出願された米国仮特許出願第６２／７１８，６６４号の優先権の利益を主張し、その内容が依拠され、その内容全体を参照により本明細書に援用するものとする。
【技術分野】
【０００２】
本開示は、概して、ガラスリボンを把持するための方法および装置、より詳細には、１つ以上のジョークランプを含むガラスリボン把持装置によってガラスリボンを把持する方法に関する。
【背景技術】
【０００３】
ガラスリボンの溶融成形プロセス中に真空カップによってガラスリボンを把持することが知られている。ガラスリボンの熱により、真空カップとガラスリボンとの間で滑りが発生する可能性がある。また、この熱により真空カップの寿命が短くなり、ひいては、真空カップの修理または交換によるコストが増加する場合がある。
【発明の概要】
【０００４】
以下のことは、詳細な説明に記載されている幾つかの実施形態の基本的な理解を提供するために、本開示の簡略化された概要を示している。
【０００５】
幾つかの実施形態によれば、ガラス製造装置は、ガラス製造装置のガラスリボン移動方向に延在する第１のクランプ経路に沿って互いに間隔を置いて配置された第１列のジョークランプを含むガラスリボン把持装置を含むことができる。ガラスリボン把持装置は、ガラス製造装置のガラスリボン移動方向に延在する第２のクランプ経路に沿って互いに間隔を置いて配置された第２列のジョークランプを含むことができる。第１列のジョークランプおよび第２列のジョークランプは、ガラスリボン移動方向に対して垂直な横方向に離間させることができる。
【０００６】
一実施形態では、ガラス製造装置は、第１列のジョークランプおよび第２列のジョークランプのうちの少なくとも一方の下方に位置決めされた支持面をさらに含むことができる。支持面は、ガラスリボンの移動経路を少なくとも部分的に横切って延在することができる。
【０００７】
別の実施形態では、第１列のジョークランプの少なくとも１つのジョークランプは、第２列のジョークランプの少なくとも１つのジョークランプに対して横方向で、横方向に調整可能であることができる。
【０００８】
別の実施形態では、第１列のジョークランプの少なくとも１つのジョークランプは、第２列のジョークランプの少なくとも１つのジョークランプに対してガラスリボン移動方向で鉛直方向に調整可能であることができる。
【０００９】
別の実施形態では、第２列のジョークランプの少なくとも１つのジョークランプは、第１列のジョークランプの少なくとも１つのジョークランプに対してガラスリボン移動方向で鉛直方向に調整可能であることができる。
【００１０】
別の実施形態では、第１列のジョークランプの第１のジョークランプおよび第２列のジョークランプの第１のジョークランプは、第１の高さに位置決めされたジョークランプの第１の高さ対を形成することができる。第１列のジョークランプの第２のジョークランプおよび第２列のジョークランプの第２のジョークランプは、第２の高さに位置決めされたジョークランプの第２の高さ対を形成することができる。
【００１１】
別の実施形態では、ジョークランプの第１の高さ対のジョークランプ同士の間の第１の横方向の間隔は、横方向で調整可能であることができる。
【００１２】
別の実施形態では、ジョークランプの第１の高さ対のジョークランプ同士の間の第１の横方向の間隔は、ジョークランプの第２の高さ対のジョークランプ同士の間の第２の横方向の間隔に依存せずに横方向で調整可能であることができる。
【００１３】
別の実施形態では、ジョークランプの第２の高さ対のジョークランプ同士の間の第２の横方向間隔は、横方向で調整可能であることができる。
【００１４】
別の実施形態では、ジョークランプの第２の高さ対のジョークランプ同士の間の第２の横方向の間隔は、ジョークランプの第１の高さ対のジョークランプ同士の間の第１の横方向の間隔に依存せずに横方向で調整可能であることができる。
【００１５】
別の実施形態では、ガラス製造装置を用いてガラスリボンを製造する方法を提供することができる。方法は、ガラスリボンをガラスリボン移動方向に沿って移動させることを含むことができる。ガラスリボンは、第１の主面および第２の主面を含むことができる。方法は、第１の主面および第２の主面を第１列のジョークランプの各ジョークランプに係合させることによって、第１列のジョークランプを用いてガラスリボンの第１の側縁をクランプすることをさらに含むことができる。方法は、第１の主面および第２の主面を第２列のジョークランプの各ジョークランプに係合させることによって、第２列のジョークランプを用いてガラスリボンの第２の側縁をクランプすることをさらに含むことができる。
【００１６】
別の実施形態では、方法は、ガラスリボンをガラスリボンの別の部分から分離し、分離されたガラスリボンを、ガラスリボンの第１の側縁および第２の側縁をクランプすることによって捕捉することをさらに含むことができる。
【００１７】
別の実施形態では、方法は、ガラスリボンの第１の側縁および第２の側縁をクランプする前にガラスリボンの下縁を係合させることをさらに含むことができる。
【００１８】
別の実施形態では、方法は、第１の高さにおけるガラスリボンの第１の横方向張力を調整するために、第１列のジョークランプの第１のジョークランプと第２列のジョークランプの第１のジョークランプとの間の第１の横方向間隔を調整することをさらに含むことができる。
【００１９】
別の実施形態では、第１の高さにおけるガラスリボンの調整された第１の横方向張力は、ガラスリボンの第２の高さにおけるガラスリボンの第２の横方向張力とは異なることができる。
【００２０】
別の実施形態では、方法は、ガラスリボンの第２の高さにおける第２の横方向張力を調整するために、第１列のジョークランプの第２のジョークランプと第２列のジョークランプの第２のジョークランプとの間の第２の横方向間隔を調整することをさらに含むことができる。
【００２１】
別の実施形態では、第２の横方向張力を調整することは、第１の横方向張力を調整することに依存せずに実施することができる。
【００２２】
別の実施形態では、調整された第１の横方向張力は、調整された第２の横方向張力とは異なることができる。
【００２３】
別の実施形態では、第１列のジョークランプを用いてガラスリボンの第１の側縁をクランプしかつ第２列のジョークランプを用いてガラスリボンの第２の側縁をクランプする前に、第１列のジョークランプ、第２列のジョークランプおよびガラスリボンは、ガラスリボン移動方向に沿って同じ速度で一緒に移動することができる。
【００２４】
別の実施形態では、第１列のジョークランプを用いてガラスリボンの第１の側縁をクランプしかつ第２列のジョークランプを用いてガラスリボンの第２の側縁をクランプした後に、第１列のジョークランプ、第２列のジョークランプおよびガラスリボンは、ガラスリボン移動方向に沿って同じ速度で一緒に移動することができる。
【図面の簡単な説明】
【００２５】
上記のかつその他の特徴、態様および利点は、添付の図面を参照して以下の詳細な説明を読めば一層理解しやすくなる。
【図１】本開示の実施形態によるガラス製造装置の例示的な実施形態を概略的に示す図である。
【図２】本開示の実施形態による、図１の２−２線に沿ったガラス製造装置の斜視的な断面図である。
【図３】本開示の実施形態によるガラスリボン源の例示的な実施形態の概略的な端面図である。
【図４】本開示の実施形態によるガラスリボン把持装置の例示的な実施形態の正面図である。
【図５】本開示の実施形態による、図４の５−５線に沿ったガラスリボン把持装置の例示的な実施形態の端面図である。
【図６】本開示の実施形態による、ガラスリボン把持装置のジョークランプの例示的な実施形態の拡大正面図である。
【図７】本開示の実施形態による、ガラスリボン把持装置のジョークランプの例示的な実施形態の拡大側面図である。
【図８】本開示の実施形態による、ガラスリボン把持装置の支持面の例示的な実施形態の拡大側面図である。
【図９】本開示の実施形態による、非クランプ位置におけるジョークランプを含むガラスリボン把持装置の例示的な実施形態の正面図である。
【図１０】本開示の実施形態による、非クランプ位置におけるジョークランプと、ガラスリボン把持装置に対して移動するガラスリボンとを含むガラスリボン把持装置の例示的な実施形態の正面図である。
【図１１】本開示の実施形態による、ガラスリボンが支持面に係合した状態の、非クランプ位置におけるジョークランプを含むガラスリボン把持装置の例示的な実施形態の正面図である。
【図１２】本開示の実施形態による、ガラスリボンが支持面に係合した状態の、クランプ位置におけるジョークランプを含むガラスリボン把持装置の例示的な実施形態の正面図である。
【図１３】本開示の実施形態による、非クランプ位置におけるジョークランプを含むガラスリボン把持装置の例示的な実施形態の正面図である。
【図１４】ガラスリボンがガラスリボンの別の部分から分離された状態の、クランプ位置におけるジョークランプを含むガラスリボン把持装置の例示的な実施形態の正面図である。
【図１５】本開示の実施形態による、ガラスリボンが支持面に係合していない状態の、クランプ位置におけるジョークランプを含むガラスリボン把持装置の例示的な実施形態の正面図である。
【図１６】本開示の実施形態による、ガラスリボンおよびガラスリボン把持装置が一緒にガラスリボン移動方向に移動している状態の、クランプ位置におけるジョークランプを含むガラスリボン把持装置の例示的な実施形態の正面図である。
【図１７】本開示の実施形態による、ジョークランプの第１の高さ対が調整可能である、ガラスリボン把持装置の例示的な実施形態の正面図である。
【図１８】本開示の実施形態による、ジョークランプの第２の高さ対が調整可能である、ガラスリボン把持装置の例示的な実施形態の正面図である。
【図１９】本開示の実施形態による、ジョークランプがガラスリボンの移動方向に沿って鉛直方向に調整可能である、ガラスリボン把持装置の例示的な実施形態の正面図である。
【図２０】本開示の実施形態による、クランプ位置におけるジョークランプと、ガラスリボン移動方向に対して垂直な曲げ方向に沿ってガラスリボンに力を加えるガラスリボン把持装置との例示的な実施形態の拡大側面図である。
【発明を実施するための形態】
【００２６】
次に、例示的な実施形態が示されている添付の図面を参照して、実施形態をより詳しく以下に説明する。可能な場合はいつでも、同じまたは類似の部分を表すために、図面全体を通じて同じ参照番号が使用される。しかしながら、本開示は、多くの異なる形態で具体化される場合があり、本明細書に記載の実施形態に限定されると解釈されるべきではない。
【００２７】
本明細書に開示される特定の実施形態は例示的であり、したがって、非限定的であることが意図されていると理解されるべきである。本開示の目的のために、必須ではないが、ガラス製造装置は、選択的に、所定の量の溶融材料からガラスシートおよび／またはガラスリボンを成形するガラス成形装置を含むことができる。例えば、ガラス製造装置は、選択的に、スロットドロー装置、フロートバス装置、ダウンドロー装置、アップドロー装置、圧延装置またはその他のガラス成形装置などの、ガラス成形装置を含むことができる。以下で検討される図１に示した実施形態では、ガラス製造装置は、フュージョンダウンドロー装置を含むガラス成形装置を含むことができるが、その他のガラス成形装置が別の実施形態において提供される場合がある。
【００２８】
さらに、本開示の目的のために、必須ではないが、ガラス製造装置は、以前に成形されたガラスリボンおよび／またはガラスシートを貯蔵するための貯蔵装置を含むことができる。例えば、示されていないが、ガラス製造装置は、選択的に、貯蔵スプールに巻き付けられた所定の長さのガラスリボンを含む貯蔵スプールを含んでもよい。幾つかの実施形態では、ガラス製造装置は、ガラスリボンを製造する方法の間に、貯蔵スプールからガラスリボンの一部を繰り出してもよい。
【００２９】
図１に概略的に示されているように、幾つかの実施形態では、例示的なガラス製造装置１００は、所定の量の溶融材料１２１からガラスリボン１０４を製造するように設計された成形容器１４０を含むガラス成形装置１０１を含むことができる。幾つかの実施形態では、ガラスリボン１０４は、ガラスリボン１０４の第１の側縁１５３および第２の側縁１５５に沿って形成された、互いに反対側にある比較的厚いエッジビードの間に配置された中央部分１５２を含むことができる。さらに、幾つかの実施形態では、ガラスリボン１０４の一部を分離経路１５１に沿ってガラスセパレータ１４９（例えば、スクライブ、筋入れホイール、ダイヤモンドチップ、レーザーなど）によって分離することができる。幾つかの実施形態では、ガラスリボン１０４の部分をガラスセパレータ１４９によって分離する前または分離した後に、第１の側縁１５３および第２の側縁１５５に沿って形成された比較的厚いエッジビードを除去し、中央部分１５２を均一な厚さを有する高品質ガラスリボン１０４として提供することができる。
【００３０】
幾つかの実施形態では、ガラス製造装置１００は、貯蔵ビン１０９からバッチ材料１０７を受け取るように配向された溶融容器１０５を含むことができる。バッチ材料１０７は、モータ１１３を動力源とするバッチ送出装置１１１によって導入することができる。幾つかの実施形態では、選択的な制御装置１１５を作動させ、モータ１１３を始動させ、矢印１１７によって示したように所望の量のバッチ材料１０７を溶融容器１０５に導入することができる。溶融容器１０５は、バッチ材料１０７を加熱し、溶融材料１２１を提供することができる。幾つかの実施形態では、ガラスメルトプローブ１１９を使用して、スタンドパイプ１２３内の溶融材料１２１のレベルを測定し、測定された情報を、通信ライン１２５を通じて制御装置１１５に通信することができる。
【００３１】
さらに、幾つかの実施形態では、ガラス製造装置１００は、溶融容器１０５の下流に位置しかつ第１の接続管路１２９を介して溶融容器１０５に接続された清澄容器１２７を含む、第１のコンディショニングステーションを含むことができる。幾つかの実施形態では、溶融材料１２１は、第１の接続管路１２９を介して溶融容器１０５から清澄容器１２７へ重力で供給することができる。例えば、幾つかの実施形態では、重力は、溶融材料１２１を第１の接続管路１２９の内部経路を通って溶融容器１０５から清澄容器１２７へ駆動することができる。さらに、幾つかの実施形態では、様々な技術によって清澄容器１２７内の溶融材料１２１から気泡を除去することができる。
【００３２】
幾つかの実施形態では、ガラス製造装置１００は、清澄容器１２７の下流に位置することができる混合チャンバ１３１を含む第２のコンディショニングステーションをさらに含むことができる。混合チャンバ１３１は、溶融材料１２１の均質な組成を提供するために使用することができ、これにより、不均一性が低減または排除される。さもないと、この不均一性が、清澄容器１２７から出た溶融材料１２１内に存在してしまう。示されるように、清澄容器１２７は、第２の接続管路１３５を介して混合チャンバ１３１に接続することができる。幾つかの実施形態では、溶融材料１２１は、第２の接続管路１３５を介して清澄容器１２７から混合チャンバ１３１へ重力で供給することができる。例えば、幾つかの実施形態では、重力は、溶融材料１２１を第２の接続管路１３５の内部経路を通って清澄容器１２７から混合チャンバ１３１へ駆動することができる。
【００３３】
さらに、幾つかの実施形態では、ガラス製造装置１００は、混合チャンバ１３１の下流に位置することができる送出容器１３３を含む第３のコンディショニングステーションを含むことができる。幾つかの実施形態では、送出容器１３３は、入口管路１４１へ供給される溶融材料１２１をコンディショニングすることができる。例えば、送出容器１３３は、アキュムレータおよび／または流量制御装置として機能し、入口管路１４１への溶融材料１２１の一貫した流れを調整および提供することができる。図示のように、混合チャンバ１３１は、第３の接続管路１３７を介して送出容器１３３に接続することができる。幾つかの実施形態では、溶融材料１２１は、第３の接続管路１３７を介して混合チャンバ１３１から送出容器１３３へ重力で供給することができる。例えば、幾つかの実施形態では、重力は、溶融材料１２１を第３の接続管路１３７の内部経路を通って混合チャンバ１３１から送出容器１３３へ駆動することができる。さらに示したように、幾つかの実施形態では、送出管１３９（例えば、下降管）を、溶融材料１２１を成形容器１４０の入口管路１４１へ送出するように位置決めすることができる。
【００３４】
本開示の特徴に従って、成形容器の様々な実施形態を提供することができ、これは、ガラスリボンをフュージョンドローするためのウェッジを備えた成形容器、ガラスリボンをスロットドローするためのスロットを備えた成形容器、または成形容器からのガラスリボンを圧延するプレスロールが設けられた成形容器を含む。例示として、以下に示されかつ開示される成形容器１４０は、溶融材料１２１を成形ウェッジ２０９のルート１４５からフュージョンドローすることによってガラスリボン１０４を製造するために提供することができる。例えば、幾つかの実施形態では、溶融材料１２１を、入口管路１４１から成形容器１４０へ送出することができる。次に、成形容器１４０の構造に少なくとも部分的に基づいて、溶融材料１２１をガラスリボン１０４に成形することができる。例えば、図示のように、溶融材料１２１を、ガラス製造装置１００のガラスリボン移動方向１５４に延在するドローパスに沿って成形容器１４０の底縁（例えば、ルート１４５）から引き出すことができる。幾つかの実施形態では、エッジ方向付け器１６３ａ，１６３ｂが、成形容器１４０から離れる溶融材料を方向付けることができ、ガラスリボン１０４の幅「Ｗ」を少なくとも部分的に規定する。幾つかの実施形態では、ガラスリボン１０４の幅「Ｗ」は、ガラスリボン１０４の第１の側縁１５３と、ガラスリボン１０４の第２の側縁１５５との間に延在することができる。
【００３５】
幾つかの実施形態では、ガラスリボン１０４の幅「Ｗ」は、約２０ｍｍ以上、例えば約５０ｍｍ以上、例えば約１００ｍｍ以上、例えば約５００ｍｍ以上、例えば約１０００ｍｍ以上、例えば約２０００ｍｍ以上、例えば約３０００ｍｍ以上、例えば約４０００ｍｍ以上であってよいが、別の実施形態では、上記の幅よりも小さいまたは大きいその他の幅を提供することができる。例えば、幾つかの実施形態では、ガラスリボン１０４の幅「Ｗ」は、約２０ｍｍ〜約４０００ｍｍ、例えば約５０ｍｍ〜約４０００ｍｍ、例えば約１００ｍｍ〜約４０００ｍｍ、例えば約５００ｍｍ〜約４０００ｍｍ、例えば約１０００ｍｍ〜約４０００ｍｍ、例えば約２０００ｍｍ〜約４０００ｍｍ、例えば約３０００ｍｍ〜約４０００ｍｍ、例えば約２０ｍｍ〜約３０００ｍｍ、例えば約５０ｍｍ〜約３０００ｍｍ、例えば約１００ｍｍ〜約３０００ｍｍ、例えば約５００ｍｍ〜約３０００ｍｍ、例えば約１０００ｍｍ〜約３０００ｍｍ、例えば約２０００ｍｍ〜約３０００ｍｍ、例えば約２０００ｍｍ〜約２５００ｍｍ、およびそれらの間の全ての範囲および部分範囲であってよい。
【００３６】
図２は、図１の２−２線に沿ったガラス製造装置１００の断面斜視図を示す。幾つかの実施形態では、成形容器１４０は、入口管路１４１から溶融材料１２１を受け入れるように配向されたトラフ２０１を含むことができる。例示の目的で、分かりやすくするために溶融材料１２１の網目模様は図２から排除されている。成形容器１４０は、成形ウェッジ２０９をさらに含むことができ、成形ウェッジ２０９は、成形ウェッジ２０９の対向する端部２１０ａ，２１０ｂ（図１参照）の間に延在する、一対の下向きに傾斜した収束する面部分２０７ａ，２０７ｂを含む。成形ウェッジ２０９の一対の下向きに傾斜した収束する面部分２０７ａ，２０７ｂは、成形ウェッジ２０９の下縁に沿って交差するようにガラスリボン移動方向１５４に沿って収束していてよく、これにより、成形容器１４０のルート１４５を規定している。ガラス製造装置１００の引出し平面２１３は、ガラスリボン移動方向１５４に沿ってルート１４５を通って延在することができる。幾つかの実施形態では、ガラスリボン１０４は、引出し平面２１３に沿ってガラスリボン移動方向１５４へ引き出すことができる。図示のように、引出し平面２１３は、ルート１４５を通って成形ウェッジ２０９を二分することができるが、幾つかの実施形態では、引出し平面２１３は、ルート１４５に対してその他の方向に延在することができる。
【００３７】
さらに、幾つかの実施形態では、溶融材料１２１は、方向１５６で成形容器１４０のトラフ２０１に流れ込むことができる。次に、溶融材料１２１は、対応する堰２０３ａ，２０３ｂを越え、対応する堰２０３ａ，２０３ｂの外面２０５ａ，２０５ｂ上で下方へ同時に流れることによって、トラフ２０１から溢れ出ることができる。次に、溶融材料１２１のそれぞれの流れは、成形ウェッジ２０９の下向きに傾斜した収束する面部分２０７ａ，２０７ｂに沿って流れることができ、成形容器１４０のルート１４５から引き出され、そこで流れが収束し、融合してガラスリボン１０４となる。次に、ガラスリボン１０４を、ガラスリボン移動方向１５４に沿って引出し平面２１３においてルート１４５からフュージョンドローすることができる。幾つかの実施形態では、ガラスセパレータ１４９（図１参照）は、その後、分離経路１５１に沿ってガラスリボン１０４の一部を分離することができる。例えば、図１に示したように、ガラスシートの形態のガラスリボン１０４の一部を、分離経路１５１に沿ってガラスリボン１０４から分離することができる。示したように、幾つかの実施形態では、分離経路１５１は、第１の側縁１５３と第２の側縁１５５との間にガラスリボン１０４の幅「Ｗ」に沿って延在していてよい。さらに、幾つかの実施形態では、分離経路１５１は、ガラスリボン１０４のガラスリボン移動方向１５４に対して垂直に延在していてよい。さらに、幾つかの実施形態では、ガラスリボン移動方向１５４は、ガラスリボン１０４を成形容器１４０からフュージョンドローすることができる方向を規定することができる。幾つかの実施形態では、ガラスリボン１０４は、≧５０ｍｍ／ｓ、≧１００ｍｍ／ｓまたは≧５００ｍｍ／ｓ、例えば、約５０ｍｍ／ｓ〜約５００ｍｍ／ｓ、例えば約１００ｍｍ／ｓ〜約５００ｍｍ／ｓおよびそれらの間の全ての範囲および部分範囲の、ガラスリボン移動方向１５４に沿って移動するときの速度を含むことができる。
【００３８】
図２に示したように、ガラスリボン１０４を、ガラスリボン１０４の第１の主面２１５ａとガラスリボン１０４の第２の主面２１５ｂとが反対方向を向きかつガラスリボン１０４の厚さ「Ｔ」（例えば、平均厚さ）を規定する状態で、ルート１４５から引き出すことができる。幾つかの実施形態では、ガラスリボン１０４の厚さ「Ｔ」は、約２ミリメートル（ｍｍ）以下、約１ミリメートル以下、約０．５ミリメートル以下、例えば、約３００マイクロメートル（μｍ）以下、約２００マイクロメートル以下または約１００マイクロメートル以下であってよいが、別の実施形態においてその他の厚さが提供されてもよい。例えば、幾つかの実施形態では、ガラスリボン１０４の厚さ「Ｔ」は、約５０μｍ〜約７５０μｍ、約１００μｍ〜約７００μｍ、約２００μｍ〜約６００μｍ、約３００μｍ〜約５００μｍ、約５０μｍ〜約５００μｍ、約５０μｍ〜約７００μｍ、約５０μｍ〜約６００μｍ、約５０μｍ〜約５００μｍ、約５０μｍ〜約４００μｍ、約５０μｍ〜約３００μｍ、約５０μｍ〜約２００μｍ、約５０μｍ〜約１００μｍであってよく、それらの間の厚さの全ての範囲および部分範囲を含む。加えて、ガラスリボン１０４は、ソーダ石灰ガラス、ホウケイ酸ガラス、アルミノホウケイ酸ガラス、アルカリ含有ガラスまたは無アルカリガラスを含むが、これらに限定されない様々な組成物を含むことができる。
【００３９】
図３を参照すると、ガラスリボン１０４が１つ以上のタイプの供給源３００によって提供されてもよいことが理解される。図３は、ガラスリボン１０４の２つの例示的な供給源３００を示しているが、別の実施形態においてその他の供給源が提供されてもよい。例えば、幾つかの実施形態では、１つの供給源３００は、図１および図２に関して図示および説明された成形容器１４０を含んでもよい。成形容器１４０は、下向きに傾斜した収束する面部分２０７ａ，２７０ｂおよびルート１４５を含む成形ウェッジ２０９を含んでもよい。
【００４０】
別の実施形態では、ガラスリボン１０４の別の供給源３００は、リボン（例えば、ガラスリボン）のコイル状スプール３０１を含んでもよい。例えば、ガラスリボン１０４は、例えば、成形容器１４０を用いて、所定の量の溶融材料１２１からガラスリボンに引き出された後、コイル状スプール３０１に巻かれてもよい。コイル状スプール３０１のガラスリボンは、ガラスリボン１０４の第１の側縁１５３および第２の側縁１５５に沿って形成されたエッジビードを有しても、有さなくてもよい。しかし、より厚いエッジビードが存在する場合、エッジビードは、ガラスリボン１０４の亀裂または破損を回避する曲げ半径を増大させる場合がある。したがって、コイル状にされる場合、ガラスリボン１０４は比較的大きな曲げ半径でコイル状にされる場合があり、その結果、ガラスリボンの所与の長さは、比較的大きな直径「Ｄ１」を有するコイル状スプール３０１を使用する場合がある。対照的に、エッジビードが除去されている場合、ガラスリボン１０４は比較的小さな曲げ半径で巻かれる場合がある。供給源３００がコイル状スプール３０２を含む場合、ガラスリボン１０４は、コイル状スプール３０１から繰り出され、ガラスリボン移動方向１５４に横断する場合がある。図示のように、幾つかの実施形態では、ガラスリボン移動方向１５４は重力の方向を含んでもよいが、ガラスリボン移動方向１５４は、ガラスリボン１０４の供給源および／またはガラス製造装置１００の構成に応じて、重力に対して所定の角度（例えば、垂直）で移動する横方向引出し方向を含むことができる。
【００４１】
図４を参照すると、ガラス製造装置１００は、ガラスリボン把持装置４００を含んでもよい。ガラスリボン把持装置４００は、供給源３００（例えば、成形容器１４０またはコイル状スプール３０１）の下流に配置されてもよい。幾つかの実施形態では、ガラスリボン把持装置４００は、ガラスリボン１０４の動きを操作および／または方向付けるのを補助してもよい。例えば、ガラスリボン把持装置４００は、ガラスセパレータ１４９によってガラスリボン１０４の一部を分離する前、分離する最中および／または分離した後、ガラスリボン１０４の動きを操作および／または方向付けることができる。
【００４２】
ガラスリボン把持装置４００は、１つ以上のフレームアームを含むことができるフレーム４０１を含むことができる。幾つかの実施形態では、フレーム４０１は、ガラスリボン移動方向１５４に対して垂直であってもよい方向に延在することができる１つ以上の横方向フレームアーム４０３を含むことができるが、フレームアームは、別の実施形態では非垂直方向に延在することができる。図４の実施形態は、２つの横方向フレームアーム４０３を含むものとして示されているが、ガラスリボン把持装置４００は、ガラスリボン移動方向１５４に対して垂直にかつ／またはその他の角度で延在するあらゆる数の横方向フレームアーム４０３を含んでもよいことが理解されるであろう。
【００４３】
幾つかの実施形態では、フレーム４０１は、第１の鉛直方向フレームアーム４０５および第２の鉛直方向フレームアーム４０７などの１つ以上の鉛直方向フレームアームを含むことができる。幾つかの実施形態では、第１の鉛直方向フレームアーム４０５および第２の鉛直方向フレームアーム４０７は、互いに平行に延在していてよいが、別の実施形態では非平行構成が提供されてもよい。図示のように、幾つかの実施形態では、第１の鉛直方向フレームアーム４０５および第２の鉛直方向フレームアーム４０７は、ガラスリボン移動方向１５４に延在することもできるが、その他の実施形態では、第１の鉛直方向フレームアーム４０５および第２の鉛直方向フレームアーム４０７は、ガラスリボン移動方向１５４に対して非平行に延在することができる。幾つかの実施形態では、第１の鉛直方向フレームアーム４０５および第２の鉛直方向フレームアーム４０７は、横方向フレームアーム４０３の互いに反対側の端部に取り付けられてもよい。例えば、横方向フレームアーム４０３の第１の端部は、第１の鉛直方向フレームアーム４０５に取り付けられてもよいのに対し、横方向フレームアーム４０３の反対側の第２の端部は、第２の鉛直方向フレームアーム４０７に取り付けられてもよい。幾つかの実施形態では、第１の鉛直方向フレームアーム４０５および第２の鉛直方向フレームアーム４０７は、互いに間隔を置いて配置されてもよく、第１の鉛直方向フレームアーム４０５と第２の鉛直方向フレームアーム４０７との間の実質的に固定された距離で維持されてもよい。幾つかの実施形態では、フレーム４０１は、横方向フレームアーム４０３、第１の鉛直方向フレームアーム４０５および／または第２の鉛直方向フレームアーム４０７のうちの１つ以上に取り付けることができる１つ以上の追加的な角度付きフレームアームを含んでもよい。これらの角度付きフレームアームは、ガラスリボン移動方向１５４に対して平行、垂直、または平行もしくは垂直以外の所定の角度で延在していてもよい。幾つかの実施形態では、フレーム４０１は、不注意な曲げ、屈曲などを生じることを制限することができる、金属材料などの実質的に剛性の材料を含んでもよい。
【００４４】
ガラスリボン把持装置４００は、一列以上のジョークランプを含んでもよい。例えば、ガラスリボン把持装置４００は、ガラス製造装置１００のガラスリボン移動方向１５４に延在する第１のクランプ経路４１１に沿って互いに間隔を置いて配置された第１列のジョークランプ４０９を含んでもよい。ガラスリボン把持装置４００は、ガラス製造装置１００のガラスリボン移動方向１５４に延在する第２のクランプ経路４１７に沿って互いに間隔を置いて配置された第２列のジョークランプ４１５を含んでもよい。幾つかの実施形態では、ガラスリボン移動方向１５４の第１のクランプ方向４１３に延在してもよい第１のクランプ経路４１１は、ガラスリボン移動方向１５４の第２のクランプ方向４１９に延在してもよい第２のクランプ経路４１７に対して実質的に平行であってもよく、これにより、第１列のジョークランプ４０９は第２列のジョークランプ４１５に対して実質的に平行に配置されていてもよい。第１列のジョークランプ４０９は、第１の鉛直方向フレームアーム４０５に取り付けられていてもよく、第２列のジョークランプ４１５は、第２の鉛直方向フレームアーム４０７に取り付けられていてもよい。第１列のジョークランプ４０９および第２列のジョークランプ４１５は、第１の鉛直方向フレームアーム４０５および第２の鉛直方向フレームアーム４０７に取り付けられることにより、ガラスリボン移動方向１５４に対して垂直であってよい横方向４２１において離間させられていてもよい。
【００４５】
幾つかの実施形態では、第１のクランプ経路４１１および第２のクランプ経路４１７は、重力の方向に鉛直方向に延在していても、延在していなくてもよい。むしろ、幾つかの実施形態では、第１のクランプ経路４１１および第２のクランプ経路４１７は、重力の方向に対して所定の角度で延在するように位置決めされてもよく、ここで、第１のクランプ経路４１１および第２のクランプ経路４１７のベクトルは、重力の方向の垂直成分と、重力の方向に対して垂直な方向の水平成分とを有する。幾つかの実施形態では、ガラスリボン移動方向１５４は、重力の方向に延在することができるか、または同様に、重力の方向に対して所定の角度で延在することができる。
【００４６】
幾つかの実施形態では、第１列のジョークランプ４０９および第２列のジョークランプ４１５はそれぞれ、２つ以上のジョークランプを含んでもよい。例えば、図示の実施形態では、第１列のジョークランプ４０９は、第１のジョークランプ４２３、第２のジョークランプ４２５および第３のジョークランプ４２７を含んでもよい。第１のジョークランプ４２３は、第２のジョークランプ４２５および第３のジョークランプ４２７より高い高さにおいて、第２のジョークランプ４２５および第３のジョークランプ４２７よりも供給源３００に近接して位置していてもよい。第２のジョークランプ４２５は、第１のクランプ経路４１１に沿って第１のジョークランプ４２３の高さと第３のジョークランプ４２７の高さとの間の高さに配置されていてもよい。幾つかの実施形態では、第１のジョークランプ４２３と第２のジョークランプ４２５との間の第１の間隔は、第２のジョークランプ４２５と第３のジョークランプ４２７との間の第２の間隔と等しくてもよい。しかしながら、本明細書で説明するように、第１の間隔および第２の間隔は、調整可能でかつ一定でなくてもよい。例えば、幾つかの実施形態では、第１のジョークランプ４２３、第２のジョークランプ４２５および／または第３のジョークランプ４２７は、フレーム４０１に対して鉛直方向に調整可能であってもよい。幾つかの実施形態では、第１のジョークランプ４２３と第２のジョークランプ４２５との間の第１の間隔は、第２のジョークランプ４２５と第３のジョークランプ４２７との間の第２の間隔よりも大きい、等しいまたは小さくてもよい。幾つかの実施形態では、第１のジョークランプ４２３、第２のジョークランプ４２５および第３のジョークランプ４２７は、第１のクランプ経路４１１に沿って実質的に同軸に整列させられてもよい。しかしながら、本明細書に記載されるように、第１のジョークランプ４２３、第２のジョークランプ４２５および／または第３のジョークランプ４２７は、フレーム４０１に対して横方向４２１に沿って横方向に調整可能であってもよい。第１のジョークランプ４２３、第２のジョークランプ４２５および／または第３のジョークランプ４２７のうちの１つ以上を横方向４２１に沿って横方向に調整することにより、第１のジョークランプ４２３、第２のジョークランプ４２５および／または第３のジョークランプ４２７は、非同軸に配置されてもよい。
【００４７】
さらに、示された実施形態では、第２列のジョークランプ４１５は、第１のジョークランプ４２９、第２のジョークランプ４３１および第３のジョークランプ４３３を含んでもよい。第１のジョークランプ４２９は、第２のジョークランプ４３１および第３のジョークランプ４３３より高い高さにおいて、第２のジョークランプ４３１および第３のジョークランプ４３３よりも供給源３００に近接して位置していてもよい。第２のジョークランプ４３１は、第２のクランプ経路４１７に沿って第１のジョークランプ４２９の高さと第３のジョークランプ４３３の高さとの間の高さに配置されていてもよい。幾つかの実施形態では、第１のジョークランプ４２９と第２のジョークランプ４３１との間の第１の間隔は、第２のジョークランプ４３１と第３のジョークランプ４３３との間の第２の間隔と等しくてもよい。しかしながら、本明細書で説明するように、第１の間隔および第２の間隔は、調整可能でかつ一定でなくてもよい。例えば、幾つかの実施形態では、第１のジョークランプ４２９、第２のジョークランプ４３１および／または第３のジョークランプ４３３は、フレーム４０１に対して鉛直方向に調整可能である。幾つかの実施形態では、第１のジョークランプ４２９と第２のジョークランプ４３１との間の第１の間隔は、第２のジョークランプ４３１と第３のジョークランプ４３３との間の第２の間隔よりも大きい、等しいまたは小さくてもよい。幾つかの実施形態では、第１のジョークランプ４２９、第２のジョークランプ４３１および第３のジョークランプ４３３は、第２のクランプ経路４１７に沿って実質的に同軸に整列させられてもよい。しかしながら、本明細書に記載されるように、第１のジョークランプ４２９、第２のジョークランプ４３１および／または第３のジョークランプ４３３は、フレーム４０１に対して横方向４２１に沿って横方向に調整可能であってもよい。第１のジョークランプ４２９、第２のジョークランプ４３１および／または第３のジョークランプ４３３のうちの１つ以上を横方向４２１に沿って横方向に調整することにより、第１のジョークランプ４２９、第２のジョークランプ４３１および／または第３のジョークランプ４３３は、非同軸に配置されてもよい。
【００４８】
幾つかの実施形態では、第１列のジョークランプ４０９および第２列のジョークランプ４１５は、１つ以上の高さ対を形成してもよい。例えば、第１列のジョークランプ４０９の第１のジョークランプ４２３と、第２列のジョークランプ４１５の第１のジョークランプ４２９とは、第１の高さ４４１に位置決めされたジョークランプの第１の高さ対４３９を形成してもよく、第１の高さ４４１は、ジョークランプの第１の高さ対４３９からガラスリボン把持装置４００の底部までの距離を表す。第１の横方向間隔４４２は、第１列のジョークランプ４０９の第１のジョークランプ４２３と、第２列のジョークランプ４１５の第１のジョークランプ４２９との間に規定されてもよい。幾つかの実施形態では、第１列のジョークランプ４０９の第２のジョークランプ４２５と、第２列のジョークランプ４１５の第２のジョークランプ４３１とは、第２の高さ４４５に位置決めされたジョークランプの第２の高さ対４４３を形成してもよく、第２の高さ４４５は、ジョークランプの第２の高さ対４４３からガラスリボン把持装置４００の底部までの距離を表す。第２の横方向間隔４４７は、第１列のジョークランプ４０９の第２のジョークランプ４２５と、第２列のジョークランプ４１５の第２のジョークランプ４３１との間に規定されてもよい。幾つかの実施形態では、第１列のジョークランプ４０９の第３のジョークランプ４２７と、第２列のジョークランプ４１５の第３のジョークランプ４３３とは、第３の高さ４５１に位置決めされたジョークランプの第３の高さ対４４９を形成してもよく、第３の高さ４５１は、ジョークランプの第３の高さ対４４９からガラスリボン把持装置４００の底部までの距離を表す。第３の横方向間隔４５３は、第１列のジョークランプ４０９の第３のジョークランプ４２７と、第２列のジョークランプ４１５の第３のジョークランプ４３３との間に規定されてもよい。
【００４９】
幾つかの実施形態では、ガラスリボン把持装置４００は、最下部のジョークランプの高さまたはそれより低い高さに位置決めされた少なくとも１つの支持面を含んでもよい。例えば、示した実施形態では、支持面は、第１列のジョークランプ４０９および第２列のジョークランプ４１５のうちの少なくとも一方の下に位置決めすることができ、支持面は、ガラスリボン１０４の移動経路４６５を横切って延在している。支持面は、例えば、第１の支持面４６１および第２の支持面４６３を含んでもよく、これらは、選択的に、フレーム４０１に直接または間接的に取り付けられてもよい。例えば、示した実施形態では、第１の支持面４６１は、第１の鉛直方向フレームアーム４０５に取り付けられてもよいのに対し、第２の支持面４６３は、第２の鉛直方向フレームアーム４０７に取り付けられてもよい。示したように、幾つかの実施形態では、第３のジョークランプ４２７は、第２のジョークランプ４２５の高さと第１の支持面４６１の高さとの間の高さにおいて第１の鉛直方向フレームアーム４０５に取り付けられてもよい。同様に、幾つかの実施形態では、第３のジョークランプ４３３は、第２のジョークランプ４３１の高さと第２の支持面４６３の高さとの間の高さにおいて第２の鉛直方向フレームアーム４０７に取り付けられてもよい。
【００５０】
第１の支持面４６１および第２の支持面４６３は、ガラスリボン１０４の移動経路４６５を少なくとも部分的に横切って延在していてもよい。示した例では、第１の支持面４６１および第２の支持面４６３は、部分的にガラスリボン１０４の移動経路４６５を横切って延在しているが、別の実施形態では、１つ以上の支持面は移動経路を完全に横切って延在していてもよい。実際、示した実施形態では、第１の支持面４６１および第２の支持面４６３は、ガラスリボン１０４の互いに反対側の縁部においてガラスリボン１０４の支持を提供するために、フレーム４０１の下側の角の近くに配置されてもよい。互いに反対側の縁部において支持することは、幾つかの実施形態において有利である可能性がある。なぜならば、縁部は、後に除去されてもよく、縁部の除去後には、ガラスリボン把持装置４００によって物理的に接触させられない高品質のガラスリボン領域のみが残るからである。しかしながら、その他の実施形態では、支持面は、移動経路４６５を完全に横切って延在していてもよく、その場合、支持面の一方の端部が第１の鉛直方向フレームアーム４０５に取り付けられ、支持面の反対側の第２の端部が第２の鉛直方向フレームアーム４０７に取り付けられる。このような実施形態では、支持面は、第１の鉛直方向フレームアーム４０５と第２の鉛直方向フレームアーム４０７との間に延在していてもよいバーまたはその他の類似の構造を含んでもよい。移動経路を完全に横切って支持面を延ばすことは、ガラスリボンの下縁における応力集中を低減するのに有益である場合がある。
【００５１】
図５は、図４の５−５線に沿ったガラスリボン把持装置４００の端面図を示す。ガラスリボン１０４が、ガラスリボン把持装置４００に関連して図５に示されており、移動経路４６５に沿って延在している。図５は、第１列のジョークランプ４０９（例えば、第１のジョークランプ４２３、第２のジョークランプ４２５および第３のジョークランプ４２７）、第１の支持面４６１および第１の鉛直方向フレームアーム４０５を示しているが、第２列のジョークランプ４１５（例えば、第１のジョークランプ４２９、第２のジョークランプ４３１および第３のジョークランプ４３３）、第２の鉛直方向フレームアーム４０７および第２の支持面４６３の構造および機能は実質的に類似であってもよいことが理解されよう。
【００５２】
フレーム４０１の構造に焦点を当てると、幾つかの実施形態では、ガラスリボン１０４の第１の主面２１５ａは、フレーム４０１とは反対側を向いていてよいのに対し、ガラスリボン１０４の第２の主面２１５ｂは、フレーム４０１の方に向いていてよい。フレーム４０１は、選択的に、第１の突出アーム５０１、第２の突出アーム５０３および第３の突出アーム５０５などの１つ以上の突出アームを含んでもよい。第１の突出アーム５０１、第２の突出アーム５０３および第３の突出アーム５０５は、設けられている場合、第１の鉛直方向フレームアーム４０５に対して実質的に垂直または別の角度で延在することができ、第１の鉛直方向フレームアーム４０５に直接または間接的に取り付けられていてもよい。幾つかの実施形態では、第１の突出アーム５０１、第２の突出アーム５０３および第３の突出アーム５０５は、第１の鉛直方向フレームアーム４０５からガラスリボン１０４の第２の主面２１５ｂに向かって延在していてよい。第１のジョークランプ４２３は、第１の突出アーム５０１に取り付けられていてもよく、第２のジョークランプ４２５は、第２の突出アーム５０３に取り付けられていてもよく、第３のジョークランプ４２７は、第３の突出アーム５０５に取り付けられていてもよい。
【００５３】
第１のジョークランプ４２３の構造に焦点を当てると、第１のジョークランプ４２３は、第１のパッド５１１および第２のパッド５１３を含むことができる。第１のパッド５１１および第２のパッド５１３は、ガラスリボン１０４の互いに反対側に位置決めすることができる。例えば、第１のパッド５１１は、第１の主面２１５ａに対面するように位置決めすることができるのに対し、第２のパッド５１３は、第２の主面２１５ｂに対面するように位置決めすることができる。ガラスリボン１０４をクランプするために第１のパッド５１１および第２のパッド５１３を互いに一緒に接近させることができる。
【００５４】
幾つかの実施形態では、第１のパッド５１１を取付けアーム５１５に取り付けることができる。取付けアーム５１５を、一方の端部において第１のパッド５１１に取り付け、反対側の端部において回転シリンダ５１７に取り付けることができる。回転シリンダ５１７は、取付けアーム５１５に動きを与えることができる。例えば、回転シリンダ５１７は、取付けアーム５１５を、ガラスリボン１０４の第１の主面２１５ａに対して平行であってよい回転経路に沿って（例えば、図５の紙面に対して垂直に）回転させることができる。さらに、回転シリンダ５１７は、取付けアーム５１５を、ガラスリボン１０４の第１の主面２１５ａに対して垂直であってよいクランプ方向に（例えば、図５において左右に）並進させることができる。
【００５５】
幾つかの実施形態では、取付けアーム５１５は、第１のアーム部分５１９および第２のアーム部分５２１を含んでもよい。第１のアーム部分５１９は、ガラスリボン１０４に対して実質的に平行に延在していてよいのに対し、第２のアーム部分５２１は、ガラスリボン１０４に対して実質的に垂直に延在していてもよい。幾つかの実施形態では、第２のアーム部分５２１は、例えば、回転シリンダ５１７の凹部内に受け入れられることなどによって、回転シリンダ５１７に取り付けられてもよい。第１のアーム部分５１９を、第２のアーム部分５２１の、回転シリンダ５１７とは反対側の端部において、第２のアーム部分５２１に取り付けることができる。第１のパッド５１１を、第１のアーム部分５１９の、第１のアーム部分５１９と第２のアーム部分５２１との取付け部分とは反対側の端部において、第１のアーム部分５１９に取り付けることができる。例えば、第１のパッド５１１は、第１のパッド５１１が第１の主面２１５ａに対面するように、第１のアーム部分５１９の内側に取り付けることができる。
【００５６】
回転シリンダ５１７は、取付けアーム５１５および第１のパッド５１１をクランプ位置と非クランプ位置との間で移動させることができる。例えば、図５に示した非クランプ位置では、第１のパッド５１１は、ガラスリボン１０４に接触していないか、または第１のパッド５１１および第２のパッド５１３に対するガラスリボン１０４の動きを抑制しないほど十分に小さくてもよい力の大きさでガラスリボン１０４に接触してもよい。クランプ位置（例えば、図６および７に示されている）では、第１のパッド５１１および第２のパッド５１３は、ガラスリボン１０４に接触し、第１のパッド５１１および第２のパッド５１３に対するガラスリボン１０４の動きを抑制するのに十分であり得る圧縮力などの力をガラスリボン１０４に加えてもよい。
【００５７】
ジョークランプの構造および機能の前述の説明は、第１のジョークランプ４２３に関してなされているが、その他のジョークランプ（例えば、第１列のジョークランプ４０９の第２のジョークランプ４２５および第３のジョークランプ４２７ならびに第２列のジョークランプ４１５の第１のジョークランプ４２９、第２のジョークランプ４３１および第３のジョークランプ４３３）の構造および機能は第１のジョークランプ４２３と実質的に類似であってもよいことが理解されよう。例えば、第１列のジョークランプ４０９の第２のジョークランプ４２５および第３のジョークランプ４２７ならびに第２列のジョークランプ４１５の第１のジョークランプ４２９、第２のジョークランプ４３１および第３のジョークランプ４３３は、第１のパッド５１１、第２のパッド５１３、第１のアーム部分５１９および第２のアーム部分５２１を含む取付けアーム５１５、回転シリンダ５１７などの、第１のジョークランプ４２３の構造を含んでもよい。これらの実施形態では、第１列のジョークランプ４０９の第２のジョークランプ４２５および第３のジョークランプ４２７ならびに第２列のジョークランプ４１５の第１のジョークランプ４２９、第２のジョークランプ４３１および第３のジョークランプ４３３は、第１のジョークランプ４２３と類似の形式において、非クランプ位置（例えば、図５に示されている）と、クランプ位置（例えば、図６および図７に示されている）との間で移動することができる。これらの実施形態では、ジョークランプは、ジョークランプが非クランプ位置にあるときにはガラスリボン１０４をガラスリボン把持装置４００に対して選択的に移動させかつジョークランプがクランプ位置にあるときにはガラスリボン把持装置４００に対するガラスリボン１０４の動きを抑制するように、まとめて機能することができる。
【００５８】
第１の支持面４６１の構造に焦点を当てると、第１の支持面４６１は、選択的に、フレーム４０１に直接または間接的に取り付けることができる取付けアーム５２５に取り付けることができる。幾つかの実施形態では、取付けアーム５２５は、フレーム４０１の下端に取り付けられてもよく、フレーム４０１およびガラスリボン１０４に対して実質的に垂直であってよい方向または別の方向に延在していてもよい。ガラスリボン把持装置４００は、取付けアーム５２５に回転結合されていてもよい回転アーム５２７を含むことができる。幾つかの実施形態では、回転アーム５２７は、取付けアーム５２５に回転可能に結合されてもよい。幾つかの実施形態では、ガラスリボン把持装置４００は、取付けアーム５２５に対する回転アーム５２７の回転を与えるために、回転アーム５２７に結合された１つ以上の歯車、モータ、アクチュエータなどを含んでもよい。
【００５９】
第１の支持面４６１は、回転アーム５２７に取り付けることができる支持アーム５３１に取り付けることができる。幾つかの実施形態では、支持アーム５３１は、回転アーム５２７から、ガラスリボン１０４に対して実質的に垂直であってよい方向へ外向きに延在していてよい。支持アーム５３１は、回転アーム５２７の動きが同様に支持アーム５３１に動きを与えることができるように、回転アーム５２７に固定的に取り付けられてもよい。幾つかの実施形態では、第１の支持面４６１は、第１の支持面４６１が供給源３００に向かって上向きになった状態で、支持アーム５３１の表面に取り付けることができる。
【００６０】
図６および図７を参照すると、非クランプ位置とクランプ位置との間の第１のジョークランプ４２３の動きが示されている。幾つかの実施形態では、第１のジョークランプ４２３は、最初は図５の非クランプ位置にあってもよい。非クランプ位置は、取付けアーム５１５が非クランプ位置にあるときの取付けアーム５１５および第１のパッド５１１の位置を表すために、図６および図７に破線で示されている。回転シリンダ５１７は、取付けアーム５１５を非クランプ位置からクランプ位置へ動かすことができる。幾つかの実施形態では、回転シリンダ５１７は、クランピングのための向きに取付けアーム５１５を位置決めするための回転移動７０１と、パッド５１１，５１３の間にガラスリボンのクランピングを提供するための取付けアーム５１５へのクランピング移動７０３とを与えることができる。取付けアーム５１５がクランプ位置に向かって移動するとき、第１のパッド５１１は、ガラスリボン１０４に向かって移動することができる。例えば、非クランプ位置では、第１のパッド５１１は、ガラスリボン１０４の第１の主面２１５ａから離間させられていてもよい（例えば、接触していない）。クランプ位置において、第１のパッド５１１は、ガラスリボン１０４の第１の主面２１５ａと接触するように移動させられてもよく、これにより、第１のパッド５１１を第２のパッド５１３と実質的に整列させることができる。整列させられることにより、軸線は、第１のパッド５１１および第２のパッド５１３とも交差しながら、ガラスリボン１０４と垂直に交差してもよい。
【００６１】
第１のジョークランプ４２３がクランプ位置にあるとき、第１のパッド５１１および第２のパッド５１３は、ガラスリボン１０４に圧縮力を加える場合があることが理解されよう。この圧縮力は、第１のジョークランプ４２３によってガラスリボン１０４を保持しかつガラスリボン１０４に移動を選択的に与えるために十分である場合がある。幾つかの実施形態では、この圧縮力は、同様に、ガラスリボン１０４を第１のジョークランプ４２３に対して所定の位置に保持するために十分である場合があり、これにより、第１のジョークランプ４２３に対するガラスリボン１０４の意図しない移動を減じることができる。
【００６２】
非クランプ位置とクランプ位置との間のジョークランプの動きの前述の説明は、第１のジョークランプ４２３に関してなされたが、その他のジョークランプ（例えば、第１列のジョークランプ４０９の第２のジョークランプ４２５および第３のジョークランプ４２７ならびに第２列のジョークランプ４１５の第１のジョークランプ４２９、第２のジョークランプ４３１および第３のジョークランプ４３３）が類似の形式で機能してもよいことが理解されよう。例えば、第１列のジョークランプ４０９の第２のジョークランプ４２５および第３のジョークランプ４２７ならびに第２列のジョークランプ４１５の第１のジョークランプ４２９、第２のジョークランプ４３１および第３のジョークランプ４３３は、同様に、ガラスリボン１０４の側縁１５３，１５５に沿った複数の位置においてガラスリボン１０４の追加的なクランピングを提供するために非クランプ位置（例えば、破線で示されている）からクランプ位置へ移動してもよい。したがって、ガラスリボン１０４は、第１列のジョークランプ４０９および第２列のジョークランプ４１５によって複数の位置においてクランプされてもよい。
【００６３】
第１のパッド５１１および第２のパッド５１３などのパッドの使用は、例えば、真空固定などのその他の固定構造に勝る幾つかの利点を提供することができる。幾つかの実施形態では、第１のパッド５１１および第２のパッド５１３は、それぞれ、第１の主面２１５ａおよび第２の主面２１５ｂに圧縮力を加えてもよい。第１のパッド５１１および第２のパッド５１３がガラスリボン１０４に真空固定されていないため、主面２１５ａ，２１５ｂのうちの一方に真空固定を適用する真空カップと比較して、把持力を増大させることができる。幾つかの実施形態では、第１のパッド５１１および第２のパッド５１３をガラスリボン１０４からの熱により、真空カップ固定と比較して、滑りにくくすることができる。さらに、第１のパッド５１１および第２のパッド５１３によって、真空カップ固定と比較して寿命を延ばすことができ、これは、つまり、コスト節約を意味する。
【００６４】
図７を参照すると、幾つかの実施形態では、ガラスリボン把持装置４００は、フレーム４０１に対する第１列のジョークランプ４０９および第２列のジョークランプ４１５の移動を容易にする１つ以上のアームを含むことができる。図７は、第１の突出アーム５０１に取り付けられた第１のジョークランプ４２３の実施形態を示す。幾つかの実施形態では、第２のパッド５１３および回転シリンダ５１７を、１つ以上の調整アームに取り付けることができ、調整アームは、第１の突出アーム５０１に取り付けられている。例えば、調整アームは、第１の突出アーム５０１に取り付けることができる第１の調整アーム７０７と、第１の調整アーム７０７に取り付けることができる第２の調整アーム７０９とを含んでもよい。幾つかの実施形態では、第２のパッド５１３および回転シリンダ５１７を第２の調整アーム７０９に取り付けることができる。
【００６５】
第１の調整アーム７０７は、横方向の動き（例えば、図７の紙面に対して垂直）を提供することができる。例えば、第１の調整アーム７０７は、第１の突出アーム５０１に対して紙面に対して垂直に（例えば、モータまたはその他のアクチュエータによって）移動可能であってもよい。第１の調整アーム７０７の動きは、第１のジョークランプ４２３の横方向の動き（例えば、図７の紙面に対して垂直）を生じさせることができる。ジョークランプの横方向の動きは、図１７および図１８に関して本明細書でさらに説明および例示することができる。第２の調整アーム７０９は、鉛直方向の動き（例えば、図７における上下）を提供することができる。例えば、第２の調整アーム７０９は、第１の調整アーム７０７に対して上下に（例えば、モータまたはその他のアクチュエータによって）移動可能であってよい。第２の調整アーム７０９の動きは、第１のジョークランプ４２３の鉛直方向の動きを生じさせることができる。ジョークランプの鉛直方向の動きは、図１９に関して本明細書でさらに説明および例示することができる。
【００６６】
図８を参照すると、伸長位置と収縮位置との間の回転方向８０１に沿った第１の支持面４６１の回転運動が示されている。幾つかの実施形態では、第１の支持面４６１が伸長位置にあるとき（例えば、伸長位置における第１の支持面４６１の位置を表すために図８に破線で示されている）、第１の支持面４６１は、ガラスリボン１０４によって規定される平面内に位置してもよく、これにより、ガラスリボン１０４によって規定される平面は、第１の支持面４６１（例えば、ガラスリボン１０４が第１の支持面４６１と交差する図５にも示されている）と交差してもよい。幾つかの実施形態では、ガラスリボン１０４の下縁８０３は、図１１に示したように、第１の支持面４６１に接触しかつ／または第１の支持面４６１に載置されることなどによって第１の支持面４６１に係合することができる。
【００６７】
回転アーム５２７は回転することができ、これにより、第１の支持面４６１を回転方向８０１に沿って伸長位置（例えば、破線で示されている）と収縮位置（例えば、実線で示されている）との間で移動させる。幾つかの実施形態では、伸長位置から収縮位置への第１の支持面４６１の移動により、回転アーム５２７は軸線を中心に回転方向８０１に旋回することができる。回転アーム５２７が旋回すると、支持アーム５３１および第１の支持面４６１も同様に旋回することができる。回転アーム５２７は、少なくとも第１の支持面４６１がガラスリボン１０４によって規定される平面内にもはや存在しなくなるまで旋回し続けることができる。例えば、収縮位置では、ガラスリボン１０４は、第１の支持面４６１がガラスリボン１０４の下縁８０３に係合することなくガラスリボン移動方向１５４に沿って下方へ自由に移動することができる。第１の支持面４６１の収縮位置は、伸長位置における第１の支持面４６１から約１８０°ずれて示されているが、このようなずれの程度は、制限することを意図したものではないことが理解されよう。むしろ、幾つかの実施形態では、回転アーム５２７は、例えば９０°などの、第１の支持面４６１がガラスリボン１０４の動きを妨害しない位置まで、第１の支持面４６１を回転させてもよい。
【００６８】
図９〜図２０を参照すると、ガラス製造装置１００を用いてガラスリボン１０４を製造する方法の例示的な実施形態が示されている。図９を参照すると、ガラスリボン１０４を製造する方法は、ガラスリボン１０４をガラスリボン移動方向１５４に沿って移動させることを含むことができ、ガラスリボン１０４は、第１の主面２１５ａ（例えば、紙面の手前を向いている）および第２の主面２１５ｂ（例えば、紙面の向こう側を向いている）を含むことができる。幾つかの実施形態では、ガラスリボン１０４がガラスリボン移動方向１５４に沿って移動する（９０１）とき、ガラスリボン１０４を製造する方法は、第１列のジョークランプ４０９によってガラスリボン１０４の第１の側縁１５３をクランプする前にかつ第２列のジョークランプ４１５によってガラスリボン１０４の第２の側縁１５５をクランプする前に、ガラスリボン移動方向１５４に沿って同じ速度で一緒に移動する（９０３，９０５）第１列のジョークランプ４０９、第２列のジョークランプ４１５およびガラスリボン１０４を含む。ガラスリボン１０４、第１列のジョークランプ４０９および第２列のジョークランプ４１５の動きが、矢印９０１，９０３，９０５で概略的に示されていることが理解されよう。幾つかの実施形態では、第１列のジョークランプ４０９および第２列のジョークランプ４１５の速度は、ガラスリボン１０４の速度と同じであってもよい。このような実施形態では、ガラスリボン把持装置４００は、ガラスリボン１０４がガラスリボン移動方向１５４に沿って移動するときに（９０１）、ガラスリボン１０４の移動を追跡することができる。
【００６９】
幾つかの実施形態では、ガラスリボン１０４の一部は、図１０に示されたガラスセパレータ１４９などを用いて、あらゆる数の方法で分離することができる。ガラスセパレータ１４９は概略的に示されていることが理解されよう。なぜならば、ガラスセパレータ１４９は、ガラスリボン１０４の一部をガラスリボン１０４から分離する幾つかの構造および／または動作を表す場合があるからである。例えば、ガラスセパレータ１４９の実施形態は、スクライブ、筋入れホイール、ダイヤモンドチップ、レーザーなどのうちの１つ以上を含んでもよい。
【００７０】
示された実施形態では、ガラスリボン１０４の部分の分離中、第１列のジョークランプ４０９および第２列のジョークランプ４１５は、非クランプ位置にあってもよい。非クランプ位置では、第１列のジョークランプ４０９および第２列のジョークランプ４１５は、ガラスリボン１０４を把持しなくてもよくかつ／またはガラスリボン１０４に力を与えなくてもよい。例えば、ガラスリボン１０４は、ガラスリボン把持装置４００によって拘束されなくてもよく、したがって、ガラスリボン１０４は、第１列のジョークランプ４０９および第２列のジョークランプ４１５に対して独立してガラスリボン移動方向１５４に沿って移動してもよい（９０１）。
【００７１】
図１１を参照すると、ガラスリボン１０４の一部がガラスセパレータ１４９によって分離された後、ガラスリボン１０４の分離された部分は、重力により、ガラスリボン移動方向１５４に沿って自由落下することによって移動してもよい（９０１）。幾つかの実施形態では、ガラスリボン１０４を製造する方法は、ガラスリボン１０４の第１の側縁１５３および第２の側縁１５５をクランプする前に、ガラスリボン１０４の下縁８０３に係合することを含むことができる。一実施形態では、第１列のジョークランプ４０９および第２列のジョークランプ４１５は、静止状態に保持され、非クランプ位置に留まってもよい。別の実施形態では、第１列のジョークランプ４０９および第２列のジョークランプ４１５は、自由落下中にガラスリボン１０４が移動する（９０１）下向き速度よりも遅くてもよい速度で、ガラスリボン移動方向１５４に沿って下方へ移動してもよい。これらの実施形態では、ガラスリボン１０４の下縁８０３は、下縁８０３と、第１の支持面４６１および第２の支持面４６３との間の距離が減少しながら、第１の支持面４６１および第２の支持面４６３の近くへ移動することができる。ガラスリボン１０４が下方へ移動するとき、ガラスリボン１０４の第１の側縁１５３および第２の側縁１５５をクランプする前に、ガラスリボン１０４の下縁８０３に係合することができる。例えば、ガラスリボン１０４の下縁８０３は、第１の支持面４６１および第２の支持面４６３によって係合することができる。第１の側縁１５３の下縁８０３は、第１の支持面４６１上に載置することができかつ／または第１の支持面４６１によって支持することができるのに対し、第２の側縁１５５の下縁８０３は、第２の支持面４６３に載置することができるかつ／または第２の支持面４６３によって支持することができる。幾つかの実施形態では、第１の側縁１５３および第２の側縁１５５をクランプする前に係合することは、ガラスリボン把持装置４００に対してガラスリボン１０４を整列させるのに役立つことができる。実際、幾つかの実施形態では、係合力は、分離されたガラスリボン１０４の重量よりも小さくてもよく、分離されたガラスリボン１０４の重量と比較して最小化されてもよいまたは比較的低くてもよく、これにより、ガラスリボン１０４の下縁８０３の損傷（例えば、応力破壊による）の防止に役立つ。同時に、係合力は、分離プロセスによる分離されたガラスリボン１０４の不整列をガラスリボン把持装置４００に対して再整列させるのに十分に大きくてもよく、これにより、ガラスリボンの第１の側縁１５３および第２の側縁１５５のその後のクランピングを側縁１５３，１５５の適切な位置で行うことができる。側縁１５３，１５５の適切な位置における把持は、元の中央部分１５２への表面損傷を防止するのに役立つことができかつ除去される材料の量を最小化することができ、それにより、元の中央部分１５２のサイズを最大化する。
【００７２】
図１２を参照すると、ガラスリボン１０４を製造する方法は、第１列のジョークランプ４０９の各ジョークランプ４２３，４２５，４２７により第１の主面２１５ａおよび第２の主面２１５ｂに係合することによって第１列のジョークランプ４０９によりガラスリボン１０４の第１の側縁１５３をクランプすることを含むことができる。ガラスリボン１０４を製造する方法は、第２列のジョークランプ４１５の各ジョークランプ４２９，４３１，４３３により第１の主面２１５ａおよび第２の主面２１５ｂに係合することによって第２列のジョークランプ４１５によりガラスリボン１０４の第２の側縁１５５をクランプすることも含んでもよい。例えば、ガラスリボン１０４の下縁８０３が第１の支持面４６１および第２の支持面４６３によって係合された後、ガラスリボン１０４をジョークランプによってクランプすることができる。幾つかの実施形態では、第１の側縁１５３および第２の側縁１５５のクランピングは、第１列のジョークランプ４０９および第２列のジョークランプ４１５が非クランプ位置（例えば、図１１に示されている）からクランプ位置（例えば、図１２に示されている）へ移動することによって行うことができる。クランプ位置では、第１列のジョークランプ４０９および第２列のジョークランプ４１５は、ガラスリボン１０４を把持することができ（例えば、図６および７にも示されている）、これにより、ガラスリボン１０４は、第１列のジョークランプ４０９および第２列のジョークランプ４１５に依存せずに移動制限されてもよい。第１列のジョークランプ４０９および第２列のジョークランプ４１５がクランプ位置にある状態で、ガラスリボン把持装置４００は、ガラスリボン１０４を所望の位置へ移動させ、案内しかつ／または方向付けることができる。
【００７３】
本開示全体を通して、図６の破線に関して示されかつ検討された非クランプ位置において、取付けアーム５１５および第１のパッド５１１は、ガラスリボン１０４の対応する外縁から離れてかつ外縁の外側に位置決めされてもよい。このような位置において、取付けアーム５１５および第１のパッド５１１は、ガラスリボンに乱れがある場合、ガラスリボン１０４に干渉しない。例えば、ガラスリボン１０４は、ガラスリボンが成形ウェッジ２０９のルート１４５に対して前後に揺れている場合、取付けアーム５１５および第１のパッド５１１を通過して（図９に示された紙面の手前へ）移動する場合がある。幾つかの実施形態では、第２のパッド５１３は、クランプする前にガラスリボンを安定させるのに役立つために、まずガラスリボンの第２の主面２１５ｂに係合してもよい。代替的に、ガラスリボン１０４を、ガラスリボン把持装置４００に対する適切な位置決めのために安定化させることができる。例えば、揺れが停止する場合があるか、または揺れの振幅が、取付けアーム５１５および第１のパッド５１１がガラスリボン１０４と干渉しないポイントまで減じられる場合がある。その時点で、図６〜図１２に示したように、取付けアーム５１５および第１のパッド５１１は全て、方向７０１を中心に、図６および図７に実線で示された位置まで、さらに図１２に示したように回転させられてもよい。次に、ジョークランプは全て、前述のクランピング移動７０３を行ってもよく、これにより、対応する第１および第２の側縁１５３，１５５をジョークランプによって挟む。
【００７４】
図１３および１４を参照すると、ガラス製造装置１００を用いてガラスリボン１０４を製造する方法の別の例示的な実施形態が示されている。これらの実施形態では、ガラスリボン１０４を製造する方法は、ガラスリボン１０４を分離し、分離されたガラスリボン１０４をガラスリボン１０４の第１の側縁１５３および第２の側縁１５５のクランピングによって捕捉することを含むことができる。図９〜図１２に示された前の実施形態のように、第１列のジョークランプ４０９および第２列のジョークランプ４１５は、ガラスリボン１０４がガラスセパレータ１４９によって分離された後、まず非クランプ位置にあってもよい。
【００７５】
図１４に示したように、ガラスセパレータ１４９によるガラスリボン１０４の分離後、方法は、分離されたガラスリボン１０４を、ガラスリボン１０４の第１の側縁１５３および第２の側縁１５５のクランピングによって捕捉することを含むことができる。幾つかの実施形態では、このクランピングは、第１の主面２１５ａおよび第２の主面２１５ｂを第１列のジョークランプ４０９の各ジョークランプ（例えば、第１のジョークランプ４２３、第２のジョークランプ４２５および第３のジョークランプ４２７）に係合させることによって、ガラスリボン１０４の第１の側縁１５３を第１列のジョークランプ４０９によってクランプすることを含んでもよい。このクランピングはまた、第１の主面２１５ａおよび第２の主面２１５ｂを第２列のジョークランプ４１５の各ジョークランプ（例えば、第１のジョークランプ４２９、第２のジョークランプ４３１および第３のジョークランプ４３３）に係合させることによって、ガラスリボン１０４の第２の側縁１５５を第２列のジョークランプ４１５によってクランプすることを含んでもよい。
【００７６】
幾つかの実施形態では、第１列のジョークランプ４０９および第２列のジョークランプ４１５によってガラスリボン１０４を捕捉するステップは、ガラスリボン１０４の下縁８０３が第１の支持面４６１および第２の支持面４６３に係合する前に行われてもよい。例えば、図１４に示したように、ガラスリボン１０４の下縁８０３は、第１の支持面４６１および第２の支持面４６３から所定の距離だけ離間されてもよい。幾つかの実施形態では、ガラスリボン１０４を捕捉するステップは、ガラスリボン１０４の分離中または分離直後に行われてもよく、これにより、ガラスリボン１０４が自由落下し得ないか、または第１列のジョークランプ４０９および第２列のジョークランプ４１５によって捕捉される前に短い距離しか自由落下し得ない。別の実施形態では、ガラスリボン１０４を捕捉するステップは、ガラスリボン１０４の分離後に行われてもよく、これにより、ガラスリボン１０４の分離された部分は、第１列のジョークランプ４０９および第２列のジョークランプ４１５によって捕捉される前に、ただしガラスリボン１０４の下縁８０３が第１の支持面４６１および第２の支持面４６３に係合する前に、所定の距離しか落下し得ない。
【００７７】
図１４の実施形態では、第１の支持面４６１および第２の支持面４６３は、選択的に、伸長位置または収縮位置にあってもよい。例えば、第１列のジョークランプ４０９および第２列のジョークランプ４１５が、ガラスリボン１０４の第１の側縁１５３および第２の側縁１５５に係合しかつクランプすることにより、ガラスリボン１０４は、第１列のジョークランプ４０９および第２列のジョークランプ４１５によって保持されてもよく、これにより、第１の支持面４６１および第２の支持面４６３によるガラスリボン１０４の下縁８０３の係合が必要でない場合がある。
【００７８】
図１５を参照すると、ガラスリボン製造装置１００を用いてガラスリボン１０４を製造する方法の別の実施形態が示されている。この実施形態では、ガラスリボン１０４をガラスリボン１０４の別の部分から分離する前に、クランプ位置における第１列のジョークランプ４０９および第２列のジョークランプ４１５によってガラスリボン１０４をクランプすることができる。例えば、ガラスリボン１０４は、ガラスリボン移動方向１５４に沿って移動することができる。第１列のジョークランプ４０９および第２列のジョークランプ４１５は、第１の側縁１５３および第２の側縁１５５をクランプするために非クランプ位置からクランプ位置（例えば、図示の位置）へ移動することができる。幾つかの実施形態では、ガラスリボン１０４を製造する方法は、第１列のジョークランプ４０９によるガラスリボン１０４の第１の側縁１５３のクランピングおよび第２列のジョークランプ４１５によるガラスリボン１０４の第２の側縁１５５のクランピング後、ただしガラスリボン１０４の別の部分からのガラスリボン１０４の分離が行われる前、ガラスリボン移動方向１５４に沿って同じ速度で一緒に移動する第１列のジョークランプ４０９、第２列のジョークランプ４１５およびガラスリボン１０４を含む。
【００７９】
幾つかの実施形態では、第１列のジョークランプ４０９および第２列のジョークランプ４１５は、ガラスリボン１０４がガラスリボン移動方向１５４に沿って移動するときに横方向に移動することができる。例えば、ガラスリボン１０４がガラスリボン移動方向１５４に沿って下方へ移動するとき、ガラスリボン１０４は、ある程度の横方向側方移動を生じる場合がある。この横方向側方移動に対応するために、第１列のジョークランプ４０９および第２列のジョークランプ４１５は、同様に、ガラスリボン１０４の動きを制限しないようにかつ／またはガラスリボン１０４に意図しない力を加えないように、横方向に動くことができる。
【００８０】
図１６を参照すると、ガラスリボン１０４の別の部分からのガラスリボン１０４の分離が示されている。幾つかの実施形態では、分離前、分離中および分離後に、ガラスリボン１０４は、第１列のジョークランプ４０９および第２列のジョークランプ４１５によってクランプされてもよい。この実施形態では、ガラスリボン１０４がガラスリボン移動方向１５４に沿って移動する（１６０１）とき、第１列のジョークランプ４０９、第２列のジョークランプ４１５およびガラスリボン１０４は、第１列のジョークランプ４０９によってガラスリボン１０４の第１の側縁１５３をクランピングしかつ第２列のジョークランプ４１５によってガラスリボン１０４の第２の側縁１５５をクランピングし、ガラスリボン１０４の別の部分からのガラスリボン１０４の分離が行われた後、ガラスリボン移動方向１５４に沿って同じ速度で一緒に移動する（１６０３，１６０５）。
【００８１】
図１７を参照すると、幾つかの実施形態では、第１列のジョークランプ４０９の少なくとも１つのジョークランプ４２３，４２５，４２７は、第２列のジョークランプ４１５の少なくとも１つのジョークランプ４２９，４３１，４３３に対して横方向４２１で、横方向に調整可能であってもよい。例えば、第１のジョークランプ４２３は、第１の横方向１７０１で、横方向に調整可能であってもよい。第１の横方向１７０１は、ガラスリボン１０４の第１の側縁１５３に向かって配向することができる。第１のジョークランプ４２３がクランプ位置または非クランプ位置にあるとき、第１のジョークランプ４２３は第１の横方向１７０１に沿って移動させられてもよい。第１のジョークランプ４２３，４２９がクランプ位置にあるとき、第１の横方向１７０１に沿った第１のジョークランプ４２３の移動は、第１のジョークランプ４２３を、第２列のジョークランプ４１５の第１のジョークランプ４２９から遠ざけるように移動させることができ、これにより、ガラスリボン１０４の張力を増大させる。第１のジョークランプ４２３は、第１の横方向１７０１に移動することに限定されなくてもよいことが理解されよう。むしろ、幾つかの実施形態では、第１のジョークランプ４２３を、第２の側縁１５５に向かって配向することができる第２の横方向１７０３に移動させることができる。第１のジョークランプ４２３，４２９がクランプ位置にあるとき、第２の横方向１７０３に沿った第１のジョークランプ４２３の移動は、第１のジョークランプ４２３を第２列のジョークランプ４１５の第１のジョークランプ４２９に向かって移動させることができ、これにより、ガラスリボン１０４の張力を低下させる。
【００８２】
幾つかの実施形態では、第２列のジョークランプ４１５の第１のジョークランプ４２９は、第１の横方向１７０１または第２の横方向１７０３（例えば、図示の方向）で、横方向に調整可能であってもよい。第１のジョークランプ４２９がクランプ位置または非クランプ位置にあるとき、第１のジョークランプ４２９は、第２の横方向１７０３に沿って移動させられてもよい。第１のジョークランプ４２３，４２９がクランプ位置にあるとき、第２の横方向１７０３に沿った第１のジョークランプ４２９の移動は、第１のジョークランプ４２９を第１列のジョークランプ４０９の第１のジョークランプ４２３から遠ざけるように移動させることができ、これにより、ガラスリボン１０４の張力を増大させる。第１のジョークランプ４２９は、第２の横方向１７０３に移動することに限定されなくてもよいことが理解されよう。むしろ、幾つかの実施形態では、第１のジョークランプ４２９を、第１の側縁１５３に向かって配向することができる第１の横方向１７０１に移動させることができる。第１のジョークランプ４２３，４２９がクランプ位置にあるとき、第１の横方向１７０１に沿った第１のジョークランプ４２９の移動は、第１のジョークランプ４２９を第１列のジョークランプ４０９の第１のジョークランプ４２３に向かって移動させることができ、これにより、ガラスリボン１０４の張力を低下させる。
【００８３】
これらの実施形態では、第１列のジョークランプ４０９の少なくとも１つのジョークランプは、第２列のジョークランプ４１５の少なくとも１つのジョークランプに対して横方向４２１で、横方向に調整可能であってもよい。例えば、ガラスリボン１０４を製造する方法は、第１列のジョークランプ４０９の第１のジョークランプ４２３と第２列のジョークランプ４１５の第１のジョークランプ４２９との間の第１の横方向間隔４４２を調整して、第１の高さ４４１におけるガラスリボン１０４の第１の横方向張力を調整することを含む。例えば、第１列のジョークランプ４０９の第１のジョークランプ４２３は、第２列のジョークランプ４１５の第１のジョークランプ４２９に依存せずに、第１の横方向１７０１または第２の横方向１７０３に移動させられてもよい。幾つかの実施形態では、第２列のジョークランプ４１５の第１のジョークランプ４２９は、第１列のジョークランプ４０９の第１のジョークランプ４２３に依存せずに、第１の横方向１７０１または第２の横方向１７０３に移動させられてもよい。これらの実施形態では、ジョークランプの第１の高さ対４３９のジョークランプ４２３，４２９間の第１の横方向間隔４４２は、横方向４２１で調整可能であってもよい。
【００８４】
幾つかの実施形態では、ジョークランプの第１の高さ対４３９のジョークランプ４２３，４２９間の第１の横方向間隔４４２は、ジョークランプの第２の高さ対４４３のジョークランプ４２５，４３１間の第２の横方向間隔４４７に依存せずに、横方向４２１で調整可能であってもよい。同様に、幾つかの実施形態では、第１の高さ対４３９のジョークランプ４２３，４２９間の第１の横方向間隔４４２は、ジョークランプの第３の高さ対４５２のジョークランプ４２７，４３３間の第３の横方向間隔４５３に依存せずに、横方向４２１で調整可能であってもよい。幾つかの実施形態では、第１列のジョークランプ４０９の第１のジョークランプ４２３は、他のジョークランプ（例えば、４２５，４２７，４２９，４３１，４３３）に依存せずに横方向に調整可能であってもよいのに対し、第２列のジョークランプ４１５の第１のジョークランプ４２９は、他のジョークランプ（例えば、４２３，４２５，４２７，４３１，４３３）に依存せずに横方向に調整可能であってもよい。
【００８５】
したがって、第１の横方向間隔４４２は調整可能であってもよいのに対し、第２の横方向間隔４４７および／または第３の横方向間隔４５３は変更されないままであってよい。幾つかの実施形態では、第１の横方向間隔４４２の調整は、ガラスリボン１０４の第２の高さ４４５における、第１列のジョークランプ４０９の第２のジョークランプ４２５と、第２列のジョークランプ４１５の第２のジョークランプ４３１との間の第２の横方向間隔４４７に依存せずに実施されてもよい。第１の横方向間隔４４２を調整することにより、ガラスリボン１０４の第１の横方向張力が調整されてもよく、これにより、第１の高さ４４１におけるガラスリボン１０４の調整された第１の横方向張力は、ガラスリボン１０４の第２の高さ４４５におけるガラスリボン１０４の第２の横方向張力および／またはガラスリボン１０４の第３の高さ４５１におけるガラスリボン１０４の第３の横方向張力とは異なってもよい。幾つかの実施形態では、第１の横方向間隔４４２は、第２の横方向間隔４４７および第３の横方向間隔４５３よりも大きい、小さいまたはそれらと等しくてもよい。
【００８６】
図１８を参照すると、幾つかの実施形態では、ジョークランプの第２の高さ対４４３のジョークランプ４２５，４３１の間の第２の横方向間隔４４７は、横方向４２１で調整可能であってもよい。図１７に関して示されかつ説明された実施形態のように、第１列のジョークランプ４０９の第２のジョークランプ４２５および第２列のジョークランプ４１５の第２のジョークランプ４３１は、第１の横方向１７０１または第２の横方向１７０３において横方向に調整可能であってもよい。幾つかの実施形態では、第１列のジョークランプ４０９の第２のジョークランプ４２５は、他のジョークランプ（例えば、４２３，４２７，４２９，４３１，４３３）に依存せずに横方向に調整可能であってもよい。幾つかの実施形態では、第２列のジョークランプ４１５の第２のジョークランプ４３１は、他のジョークランプ（例えば、４２３，４２５，４２７，４２９，４３３）に依存せずに横方向に調整可能であってもよい。ジョークランプの第２の高さ対４４３のジョークランプ４２５，４３１の間の第２の横方向間隔４４７は、ジョークランプの第１の高さ対４３９のジョークランプ４２３，４２９の間の第１の横方向間隔４４２に依存せずに、横方向４２１で調整可能であってもよい。
【００８７】
幾つかの実施形態では、ガラスリボン１０４を製造する方法は、第１列のジョークランプ４０９の第２のジョークランプ４２５と、第２列のジョークランプ４１５の第２のジョークランプ４３１との間の第２の横方向間隔４４７を調整して、ガラスリボン１０４の第２の高さ４４５における第２の横方向張力を調整することを含む。幾つかの実施形態では、第２のジョークランプ４２５，４３１が他のジョークランプ（例えば、４２３，４２７，４２９，４３３）に依存せずに横方向に調整可能であるため、第２の横方向張力は、第１の横方向張力の調整に依存せずに調整されてもよい。幾つかの実施形態では、第１の横方向間隔４４２および第２の横方向間隔４４７が調整されてもよく、この場合、第１の横方向間隔４４２（ひいては調整された第１の横方向張力）は第２の横方向間隔４４７（ひいては調整された第２の横方向張力）とは異なる。この実施形態では、第１の横方向間隔４４２および第２の横方向間隔４４７が異なるように調整することにより、ガラスリボン１０４を製造する方法は、ガラスリボン１０４の調整された第２の横方向張力とは異なる、ガラスリボン１０４の調整された第１の横方向張力を含む。幾つかの実施形態では、第２の横方向間隔４４７は、第１の横方向間隔４４２および／または第３の横方向間隔４５３よりも大きい、小さい、またはそれらと等しくてもよい。
【００８８】
別の実施形態では、第１列のジョークランプ４０９の第３のジョークランプ４２７と、第２列のジョークランプ４１５の第３のジョークランプ４３３との間の第３の横方向間隔４５３は、第１の横方向間隔４４２および第２の横方向間隔４４７と類似の形式で調整されてもよい。例えば、第１列のジョークランプ４０９の第３のジョークランプ４２７および第２列のジョークランプ４１５の第３のジョークランプ４３３は、それぞれ、第１の横方向１７０１または第２の横方向１７０３で、横方向に調整可能であってもよい。第１列のジョークランプ４０９の第３のジョークランプ４２７および第２列のジョークランプ４１５の第３のジョークランプ４３３は、それぞれ、他のジョークランプ（例えば、４２３，４２５，４２９，４３１）に依存せずに横方向に調整されてもよい。幾つかの実施形態では、第３の横方向間隔４５３は、第１の横方向間隔４４２および第２の横方向間隔４４７よりも大きい、小さいまたはそれらと等しくてもよい。
【００８９】
図１９を参照すると、幾つかの実施形態では、第１列のジョークランプ４０９の少なくとも１つのジョークランプ４２３，４２５，４２７は、第２列のジョークランプ４１５の少なくとも１つのジョークランプ４２９，４３１，４３３に対してガラスリボン移動方向１５４で鉛直方向に調整可能であってよい。幾つかの実施形態では、第１のジョークランプ４２３、第２のジョークランプ４２５および／または第３のジョークランプ４２７は、第１のジョークランプ４２３、第２のジョークランプ４２５および第３のジョークランプ４２７がクランプ位置または非クランプ位置にあるとき、第１の鉛直方向１９０１または第２の鉛直方向１９０３に沿って移動させられてもよい。第１の鉛直方向１９０１は、ガラスリボン１０４の上縁に向かって配向されてもよいのに対し、第２の鉛直方向１９０３は、ガラスリボン１０４の下縁に向かって配向されてもよい。幾つかの実施形態では、ジョークランプのうちの１つ以上は、他のジョークランプ（例えば、４２５，４２７，４２９，４３１，４３３）に依存せずに鉛直方向に調整可能な第１のジョークランプ４２３のように、鉛直方向に調整可能であってもよい。
【００９０】
幾つかの実施形態では、第２列のジョークランプ４１５の少なくとも１つのジョークランプ４２９，４３１，４３３は、第１列のジョークランプ４０９の少なくとも１つのジョークランプ４２３，４２５，４２７に対してガラスリボン移動方向１５４で鉛直方向に調整可能であってもよい。幾つかの実施形態では、第１のジョークランプ４２９、第２のジョークランプ４３１および／または第３のジョークランプ４３３は、第１のジョークランプ４２９、第２のジョークランプ４３１および第３のジョークランプ４３３がクランプ位置または非クランプ位置にあるとき、第１の鉛直方向１９０１または第２の鉛直方向１９０３に沿って移動させられてもよい。幾つかの実施形態では、ジョークランプのうちの１つ以上は、他のジョークランプ（例えば、４２３，４２５，４２７，４３１，４３３）に依存せずに鉛直方向に調整可能な第１のジョークランプ４２９のように、鉛直方向に調整可能であってもよい。
【００９１】
第１列のジョークランプ４０９の少なくとも１つのジョークランプ４２３，４２５，４２７と、第２列のジョークランプ４１５の少なくとも１つのジョークランプ４２９，４３１，４３３との間に調整可能な横方向間隔を提供することによって、横方向４２１に沿ったガラスリボン１０４の張力を調整することができる。例えば、ガラスリボン１０４の張力は、ジョークランプ同士の間の横方向間隔を調整することによって、ガラスリボン１０４に沿った複数の位置において調整することができる。幾つかの実施形態では、ジョークランプ４２３，４２５，４２７，４２９，４３１，４３３の鉛直方向の調整可能性は、ガラスリボン１０４がガラスリボン移動方向１５４に沿って移動する速度を上昇または低下させることができる。鉛直方向調整可能性は、ガラスリボン移動方向１５４に沿ったガラスリボン１０４の張力が調整されることを可能にすることもできる。
【００９２】
図２０を参照すると、ガラスリボン把持装置４００の第１のジョークランプ４２３の側面図が示されている。幾つかの実施形態では、ガラスリボン把持装置４００は、ガラスリボン移動方向１５４または横方向４２１に沿ってガラスリボン１０４に力を加えることに限定されない場合がある。むしろ、幾つかの実施形態では、ガラスリボン把持装置４００は、ガラスリボン移動方向１５４および横方向４２１に対して垂直であってよい曲げ方向２００１に沿ってガラスリボン１０４に力を加えることができる。例えば、機械２００３は、ガラスリボン１０４とは反対側のフレーム４０１の後側に取り付けられることなどによって、フレーム４０１に係合することができる。機械２００３は、フレーム４０１を曲げ方向２００１に沿って移動させるように構成することができる。幾つかの実施形態では、ガラスリボン１０４は、ガラスリボン把持装置４００の上流（例えば、上方）の位置においてノージング（nosing）２００５に隣接して延在することができる。ジョークランプ４２３，４２５，４２７，４２９，４３１，４３３がクランプ位置にある状態で、機械２００３は、フレーム４０１を曲げ方向２００１に沿って回転させてもよい。フレーム４０１が曲げ方向２００１に沿って移動するとき、ガラスリボン１０４はノージング２００５に係合することができ、これにより、ガラスリボン１０４をガラスリボン１０４の別の部分（例えば、ガラスリボン１０４の上流の部分）から分離する。
【００９３】
本開示の幾つかの実施形態では、ガラスリボン把持装置４００は、ガラスリボン１０４と接触するジョークランプ４２３，４２５，４２７，４２９，４３１，４３３の摩耗を低減することができる。例えば、ガラスリボン把持装置４００が曝され得る潜在的に高い温度（例えば、３００℃以上）により、ジョークランプ４２３，４２５，４２７，４２９，４３１，４３３は、クランプ位置にあるときに圧縮把持力を加えることができる。この圧縮把持力は、真空カップ固定によって過去に達成されたものよりも高い場合があり、これにより、ガラスリボン１０４の滑りの可能性を低減する。加熱による摩耗を示すジョークランプ４２３，４２５，４２７，４２９，４３１，４３３の場合、ガラスリボン１０４の滑りを制限するためにジョークランプ４２３，４２５，４２７，４２９，４３１，４３３の把持力を増加させることができる。さらに、ジョークランプ４２３，４２５，４２７，４２９，４３１，４３３は、真空カップの裂断または切断により一般的であり得る真空漏れまたは真空故障を生じ得ない。
【００９４】
幾つかの実施形態では、ガラスリボン把持装置４００は、筋入れおよび分離プロセス中にガラスリボン１０４に低減された運動および引張力を提供することができる。例えば、図９〜図１１に示したように、ジョークランプ４２３，４２５，４２７，４２９，４３１，４３３は、ガラスリボン１０４がガラスセパレータ１４９によって分離されるとき、非クランプ位置にあってもよい。非クランプ位置にあることにより、ジョークランプ４２３，４２５，４２７，４２９，４３１，４３３は、ガラスリボン１０４に運動または引張力を与えなくなり、これにより、ガラスリボン１０４は、ジョークランプ４２３，４２５，４２７，４２９，４３１，４３３に依存せずに移動することができる。ガラスリボン１０４が分離された後、ガラスリボン１０４の分離された部分は、ジョークランプ４２３，４２５，４２７，４２９，４３１，４３３がガラスリボン１０４をクランプする前に、第１の支持面４６１および第２の支持面４６３に係合しかつ載置されてもよい。分離が完了するまでガラスリボン１０４に接触しないことにより、ガラスリボン１０４の改善された整列および安定性を達成することができる。
【００９５】
以下、本発明の好ましい実施形態を項分け記載する。
【００９６】
実施形態１  
ガラス製造装置であって、
ガラスリボン把持装置であって、前記ガラス製造装置のガラスリボン移動方向に延在する第１のクランプ経路に沿って互いに間隔を置いて配置された第１列のジョークランプと、前記ガラス製造装置の前記ガラスリボン移動方向に延在する第２のクランプ経路に沿って互いに間隔を置いて配置された第２列のジョークランプとを含み、前記第１列のジョークランプおよび前記第２列のジョークランプは、前記ガラスリボン移動方向に対して垂直な横方向に離間させられている、ガラスリボン把持装置
を含む、ガラス製造装置。
【００９７】
実施形態２  
前記第１列のジョークランプおよび前記第２列のジョークランプのうちの少なくとも一方の下方に位置決めされ、ガラスリボンの移動経路を少なくとも部分的に横切って延在する支持面をさらに含む、実施形態１記載のガラス製造装置。
【００９８】
実施形態３  
前記第１列のジョークランプの少なくとも１つのジョークランプは、前記第２列のジョークランプの少なくとも１つのジョークランプに対して横方向で、横方向に調整可能である、実施形態１または２記載のガラス製造装置。
【００９９】
実施形態４  
前記第１列のジョークランプの少なくとも１つのジョークランプは、前記第２列のジョークランプの少なくとも１つのジョークランプに対して前記ガラスリボン移動方向で鉛直方向に調整可能である、実施形態１または２記載のガラス製造装置。
【０１００】
実施形態５  
前記第２列のジョークランプの少なくとも１つのジョークランプは、前記第１列のジョークランプの少なくとも１つのジョークランプに対して前記ガラスリボン移動方向で鉛直方向に調整可能である、実施形態１または２記載のガラス製造装置。
【０１０１】
実施形態６  
前記第１列のジョークランプの第１のジョークランプおよび前記第２列のジョークランプの第１のジョークランプは、第１の高さに位置決めされた前記ジョークランプの第１の高さ対を形成しており、前記第１列のジョークランプの第２のジョークランプおよび前記第２列のジョークランプの第２のジョークランプは、第２の高さに位置決めされた前記ジョークランプの第２の高さ対を形成している、実施形態１または２記載のガラス製造装置。
【０１０２】
実施形態７  
前記ジョークランプの第１の高さ対の前記ジョークランプ同士の間の第１の横方向間隔は、横方向で調整可能である、実施形態６記載のガラス製造装置。
【０１０３】
実施形態８  
前記ジョークランプの第１の高さ対の前記ジョークランプ同士の間の前記第１の横方向間隔は、前記ジョークランプの第２の高さ対の前記ジョークランプ同士の間の第２の横方向間隔に依存せずに横方向で調整可能である、実施形態７記載のガラス製造装置。
【０１０４】
実施形態９  
前記ジョークランプの第２の高さ対の前記ジョークランプ同士の間の第２の横方向間隔は、横方向で調整可能である、実施形態６から８までのいずれか１つ記載のガラス製造装置。
【０１０５】
実施形態１０  
前記ジョークランプの第２の高さ対の前記ジョークランプ同士の間の前記第２の横方向間隔は、前記ジョークランプの第１の高さ対の前記ジョークランプ同士の間の第１の横方向間隔に依存せずに横方向で調整可能である、実施形態９記載のガラス製造装置。
【０１０６】
実施形態１１  
実施形態１記載のガラス製造装置を用いてガラスリボンを製造する方法であって、
第１の主面および第２の主面を含む前記ガラスリボンをガラスリボン移動方向に沿って移動させるステップと、
前記第１の主面および前記第２の主面を第１列のジョークランプの各ジョークランプに係合させることによって、前記第１列のジョークランプを用いて前記ガラスリボンの第１の側縁をクランプするステップと、
前記第１の主面および前記第２の主面を第２列のジョークランプの各ジョークランプに係合させることによって、前記第２列のジョークランプを用いて前記ガラスリボンの第２の側縁をクランプするステップと
を含む、方法。
【０１０７】
実施形態１２  
前記ガラスリボンを前記ガラスリボンの別の部分から分離し、分離された前記ガラスリボンを、前記ガラスリボンの前記第１の側縁および前記第２の側縁をクランプすることによって捕捉するステップをさらに含む、実施形態１１記載の方法。
【０１０８】
実施形態１３  
前記ガラスリボンの前記第１の側縁および前記第２の側縁をクランプする前に前記ガラスリボンの下縁を係合させるステップをさらに含む、実施形態１１または１２記載の方法。
【０１０９】
実施形態１４  
第１の高さにおける前記ガラスリボンの第１の横方向張力を調整するために、前記第１列のジョークランプの第１のジョークランプと前記第２列のジョークランプの第１のジョークランプとの間の第１の横方向間隔を調整するステップをさらに含む、実施形態１１から１３までのいずれか１つ記載の方法。
【０１１０】
実施形態１５  
前記第１の横方向間隔を調整するステップは、前記ガラスリボンの第２の高さにおける、前記第１列のジョークランプの第２のジョークランプと前記第２列のジョークランプの第２のジョークランプとの間の第２の横方向間隔に依存せずに行われる、実施形態１４記載の方法。
【０１１１】
実施形態１６  
前記第１の高さにおける前記ガラスリボンの調整された前記第１の横方向張力は、前記ガラスリボンの前記第２の高さにおける前記ガラスリボンの第２の横方向張力とは異なる、実施形態１５記載の方法。
【０１１２】
実施形態１７  
前記ガラスリボンの第２の高さにおける第２の横方向張力を調整するために、前記第１列のジョークランプの第２のジョークランプと前記第２列のジョークランプの第２のジョークランプとの間の第２の横方向間隔を調整するステップをさらに含む、実施形態１１から１４までのいずれか１つ記載の方法。
【０１１３】
実施形態１８  
前記第２の横方向張力を調整することは、前記第１の横方向張力を調整することに依存せずに行われる、実施形態１７記載の方法。
【０１１４】
実施形態１９  
調整された前記第１の横方向張力は、調整された前記第２の横方向張力とは異なる、実施形態１７または１８記載の方法。
【０１１５】
実施形態２０  
前記第１列のジョークランプを用いて前記ガラスリボンの前記第１の側縁をクランプしかつ前記第２列のジョークランプを用いて前記ガラスリボンの前記第２の側縁をクランプする前に、前記第１列のジョークランプ、前記第２列のジョークランプおよび前記ガラスリボンは、前記ガラスリボン移動方向に沿って同じ速度で一緒に移動する、実施形態１１記載の方法。
【０１１６】
実施形態２１  
前記第１列のジョークランプを用いて前記ガラスリボンの前記第１の側縁をクランプしかつ前記第２列のジョークランプを用いて前記ガラスリボンの前記第２の側縁をクランプした後に、前記第１列のジョークランプ、前記第２列のジョークランプおよび前記ガラスリボンは、前記ガラスリボン移動方向に沿って同じ速度で一緒に移動する、実施形態１１または２０記載の方法。
【図１】
2021534061.tif 000003
【図２】
2021534061.tif 000004
【図３】
2021534061.tif 000005
【図４】
2021534061.tif 000006
【図５】
2021534061.tif 000007
【図６】
2021534061.tif 000008
【図７】
2021534061.tif 000009
【図８】
2021534061.tif 000010
【図９】
2021534061.tif 000011
【図１０】
2021534061.tif 000012
【図１１】
2021534061.tif 000013
【図１２】
2021534061.tif 000014
【図１３】
2021534061.tif 000015
【図１４】
2021534061.tif 000016
【図１５】
2021534061.tif 000017
【図１６】
2021534061.tif 000018
【図１７】
2021534061.tif 000019
【図１８】
2021534061.tif 000020
【図１９】
2021534061.tif 000021
【図２０】
2021534061.tif 000022
【国際調査報告】
2021534061.tif 000023
2021534061.tif 000024